(57)【要約】【課題】  複数のテレビカメラを用いて撮影が行われる状況下で、メインカメラをその被写体である出演者に把握させることを可能にするとともに、メインカメラの切替タイミングを把握させることを可能にする。【解決手段】  複数のテレビカメラの各々に備えられる報知部と、前記複数のテレビカメラのうちから１のテレビカメラを選択し、選択されたテレビカメラに備えられている報知部を作動させる制御部と、を備え、前記制御部は、所定の時間が経過した後に前記１のテレビカメラとは異なる他のテレビカメラにメインカメラを切替えること指示する旨の入力が為された場合に、該入力が為されてから該所定の時間に達するまでの残り時間に応じて前記報知部の報知態様を変化させることを特徴とするターリ装置を提供する。【選択図】      図１
2006174057.tif 000002
【特許請求の範囲】
【請求項１】
複数のテレビカメラの各々に１つづつ備えられる報知部と、
複数の前記報知部のうちから１の報知部を選択する選択部と、
前記選択部により選択された報知部を作動させる制御部と、
を備え、
前記制御部は、
前記選択部によって選択された報知部を作動させている状況下で、所定時間が経過した後にその報知部に替えて他の報知部を作動させること指示する旨の入力が為されると、その所定時間に達するまでの残時間に応じた信号をその報知部へ供給し、
複数の前記報知部の各々は、
前記制御部から供給される信号に応じた報知を行う
ことを特徴とするターリ装置。
【請求項２】
前記選択部は、
前記複数のテレビカメラのうちから１のメインカメラを選択することに連動させて、該選択されたテレビカメラに備えられている報知部を選択する
ことを特徴とする請求項１に記載のターリ装置。
【請求項３】
記憶部と、
映像の撮影を開始してから終了するまでの間のメインカメラの切替タイミングを表すデータを、前記記憶部へ書き込むデータ書き込み部と、
を備え、
前記選択部は、
前記データ書き込み部によって前記記憶部へ書き込まれたデータにしたがって、前記複数のテレビカメラのうちから１のメインカメラを選択しその選択を順次切替えるとともに、そのデータの表す各切替タイミングよりも所定時間だけ前のタイミングで、その切替を行うことを指示する旨を前記制御部へ入力する
ことを特徴とする請求項２に記載のターリ装置。
【発明の詳細な説明】
【技術分野】
【０００１】
本発明は、複数のテレビカメラを用いて撮影を行う際に、何れのテレビカメラをメインに撮影を行っているかを報知する技術に関する。
【背景技術】
【０００２】
テレビ番組などの撮影現場においては、その出演者などの被写体を複数のテレビカメラを用いて様々な角度から撮影し、それら複数のテレビカメラの各々により撮影された映像を編集して実際の放送に使用することが一般的に行われている。
より詳細に説明すると、例えばテレビ番組のディレクタや監督は、複数のテレビカメラのうちから１のテレビカメラ（以下、メインカメラ）を選択し、そのメインカメラを主に用いて映像を撮影するとともに、演出効果などを考慮してメインカメラとして選択するテレビカメラを順次切替えて撮影を行う。
一方、被写体である出演者は、メインカメラに向かって話しかけたり、演技したりしなければならないため、上記複数のテレビカメラのうちの何れがメインカメラであるかを常に把握しておかなければならない。このため、テレビ番組の撮影現場などでは、ターリ装置と呼ばれる器機を用いて、メインカメラの報知を行うようにしている。このターリ装置は、上記複数のテレビカメラの各々に１つづつ備えられる赤色灯と、それら赤色灯の点灯制御を行う制御部とを含んでおり、上記複数の赤色灯のうちメインカメラとして選択されているテレビカメラに備えられている赤色灯のみを点灯させるものである。これにより、上記出演者は、上記複数の赤色灯のうち何れが点灯しているかを視認することによって、上記複数のテレビカメラのうちの何れがメインカメラであるかを把握することができる。
【０００３】
このように、ターリ装置を用いることによって複数のテレビカメラのうちの何れがメインカメラであるかを上記出演者に把握させることが可能になるものの、次に何れのテレビカメラにメインカメラが切替えられるかを事前に把握させることはできない。このため、メインカメラの切替が不意に行われると、その時点のメインカメラを探すために上記出演者がきょろきょろしてしまうなどの不具合が生じてしまう場合がある。
【０００４】
そこで、上記ターリ装置を改良して、メインカメラを報知することとともに、次にメインカメラとなるテレビカメラを事前に報知することを可能にする技術が特許文献１に開示されている。より詳細に説明すると、特許文献１には、ターリ装置の赤色灯を所定の周期で明滅させるようにする技術が開示されている。これにより、例えば、次にメインカメラとなるテレビカメラに備えられている赤色灯を所定の周期で明滅させることによって、メインカメラの切替に先立って次にメインカメラとなるテレビカメラを出演者に把握させておくことが可能になる。また、ターリ装置の赤色灯を所定の周期で明滅させることによって、その赤色灯と類似した発光色を有する光源がテレビカメラの周囲に有る場合であっても、ターリ装置の赤色灯が発光しているか否かを出演者に容易に識別させることも可能になる。
【特許文献１】特開平６−８６１０６号公報
【発明の開示】
【発明が解決しようとする課題】
【０００５】
しかしながら、特許文献１に開示された技術を用い、次にメインカメラとなるテレビカメラを報知したとしても、その切替が１秒後に行われるのか、それとも１分後に行われるのかを出演者に把握させること、すなわち、その切替のタイミングを出演者に把握させることはできない。このように、メインカメラの切替タイミングを事前に把握することができないと、出演者はメインカメラの切替が何時行われるのかを絶えず気にしておく必要があり、演技などに集中することができなくなってしまう虞がある。
本発明は、上記課題を鑑みて為されたものであり、複数のテレビカメラのうちから１のメインカメラを選択しその選択を順次切替えて撮影を行う状況下で、上記複数のテレビカメラのうちの何れがメインカメラであるかを出演者に把握させるとともに、メインカメラの切替タイミングを事前に把握させることを可能にする技術を提供することを目的としている。
【課題を解決するための手段】
【０００６】
上記課題を解決するために、本発明は、複数のテレビカメラの各々に１つづつ備えられる報知部と、複数の前記報知部のうちから１の報知部を選択する選択部と、前記選択部により選択された報知部を作動させる制御部と、を備え、前記制御部は、前記選択部によって選択された報知部を作動させている状況下で、所定時間が経過した後にその報知部に替えて他の報知部を作動させること指示する旨の入力が為されると、その所定時間に達するまでの残時間に応じた信号をその報知部へ供給し、複数の前記報知部の各々は、前記制御部から供給される信号に応じた報知を行うことを特徴とするターリ装置を提供する。
このようなターリ装置によれば、複数の報知部のうちの１つが選択されている状況下で、作動させる報知部を所定時間経過後に切替えることを指示する旨の入力が為されると、その切替までの残時間に応じた信号が上記作動させている報知部へ供給され、その信号に応じた報知が為される。このため、上記複数のテレビカメラのうちでメインカメラとして選択されているテレビカメラに備えられている報知部を上記選択部によって選択するようにすれば、メインカメラの報知を行うとともに、メインカメラの切替タイミングを報知することが可能になる。
【０００７】
別の好ましい態様においては、前記選択部は、前記複数のテレビカメラのうちから１のメインカメラを選択することに連動させて、該選択されたテレビカメラに備えられている報知部を選択することを特徴とする。このような態様にあっては、上記複数のテレビカメラのうちからメインカメラが選択されると、そのメインカメラに備えられている報知部が上記選択手段によって選択される。
【０００８】
より好ましい態様においては、記憶部と、映像の撮影を開始してから終了するまでの間のメインカメラの切替タイミングを表すデータを、前記記憶部へ書き込むデータ書き込み部と、を備え、前記選択部は、前記データ書き込み部によって前記記憶部へ書き込まれたデータにしたがって前記複数のテレビカメラのうちから１のメインカメラを選択しその選択を順次切替えるとともに、そのデータの表す切替タイミングよりも所定時間だけ前のタイミングで、その切替を行うことを指示する旨を前記制御部へ入力することを特徴とする。このような態様にあっては、上記記憶部に書き込まれたデータにしたがって、メインカメラの切替が行われるとともに、所定時間が経過した後にメインカメラの切替が行われることを表す報知がその切替に先立って行われる。
【０００９】
また、別の好ましい態様においては、複数の前記報知部の各々は、発光手段を含み、前記制御部から供給される信号に応じた周期で該発光手段を明滅させることを特徴する。このような態様にあっては、上記発光手段の明滅周期によってメインカメラの切替タイミングが報知される。
また、別の好ましい態様においては、複数の前記報知部の各々は、発光手段を含み、前記制御部から供給される信号に応じた色で該発光手段を発光させることを特徴する。このような態様にあっては、上記発光手段の発光色によってメインカメラの切替タイミングが報知される。
また、別の好ましい態様においては、複数の前記報知部の各々は、複数の発光手段を含み、前記制御部から供給される信号に応じて該複数の発光手段のうちの何れか１つを発光させることを特徴とする。このような態様にあっては、上記複数の発光手段のうちの何れが発光しているかによってメインカメラの切替タイミングが報知される。
また、別の好ましい態様においては、複数の前記報知部の各々は、表示手段を含み、前記制御部から供給される信号に応じて前記残時間を表す文字を該表示手段に表示させることを特徴とする。このような態様にあっては、上記表示手段に表示される文字によってメインカメラの切替タイミングが報知される。
【発明の効果】
【００１０】
本発明によれば、複数のテレビカメラを用いて撮影が行われる状況下で、メインカメラをその被写体である出演者に把握させることが可能になるとともに、メインカメラの切替タイミングを把握させることが可能になる、といった効果を奏する。
【発明を実施するための最良の形態】
【００１１】
以下、本発明を実施するための最良の形態について図面を参照しつつ説明する。
（Ａ．第１実施形態）
図１は、本発明の第１実施形態に係るターリ装置１０の構成を示すブロック図である。図１に示すように、ターリ装置１０は、報知部１００ａ、１００ｂ、１００ｃおよび１００ｄと、選択部２００と、制御部３００と、を備えている。なお、本実施形態では、ターリ装置１０が４つの報知部（すなわち、報知部１００ａ、１００ｂ、１００ｃおよび１００ｄ）を備えている場合について説明するが、ターリ装置１０が備える報知部の数は４に限定されるものではなく、２以上であれば何れの数であっても良い。また、以下では、報知部１００ａ、１００ｂ、１００ｃおよび１００ｄの各々を区別する必要がない場合には、「報知部１００」と表記する。
【００１２】
報知部１００は、所定の電圧値の電圧を印加された場合に所定の色（例えば、赤など）で発光するＬＥＤ（Light Emitting Diode）で構成された発光手段１１０を含んでおり、制御部３００から所定の信号レベルの作動信号を供給された場合に、上記発光手段１１０を発光させて報知を行うものである。この報知部１００は、図２に示すように、テレビカメラ４００に装着され、発光手段１１０を発光させることによってそのテレビカメラがメインカメラであることを報知するものである。本実施形態に係るターリ装置１０は、上述したように４つの報知部を有しているため、４台のテレビカメラについてその何れがメインカメラであるかを報知することが可能である。
【００１３】
選択部２００は、例えばスイッチなどの操作子を備えており、この操作子の操作内容に応じたデータを制御部３００へ引渡すものである。例えば、メインカメラの報知を行うために、ターリ装置１０の操作者が上記操作子を操作して、そのメインカメラに備えられている報知部１００を選択すると、選択部２００は、その報知部１００を表すデータを制御部３００へ引渡す。また、メインカメラに備えられている報知部１００を作動させている状況下で、所定時間が経過した後に他の報知部１００を作動させること指示する旨の入力が為されると、選択部２００は、その切替タイミングを表すデータ（例えば、上記所定時間を表すデータ、以下、切替タイミングデータという）を制御部３００へ引渡す。
【００１４】
制御部３００は、選択部２００から引渡されたデータに応じて報知部１００ａ、１００ｂ、１００ｃおよび１００ｄの点灯制御を行うためのものであり、図１に示すように、タイマ回路３１０と、信号出力回路３２０と、を有している。タイマ回路３１０は、例えば、計時機能を備えたリアルタイムクロックを含んでおり、上記切替タイミングデータを選択部２００から受取ると、その切替タイミングデータを受取った時からその切替タイミングデータの表す時間に達するまでの残時間を計測し、その残時間に応じたデータ（以下、残時間データ）を信号出力回路３２０へ引渡すものである。本実施形態では、タイマ回路３１０は、計測した残時間が長い程、長い周期でオン／オフを繰り消す波形を表す残時間データを信号出力回路３２０へ引渡す。なお、本実施形態では、残時間データとして、作動させる報知部１００を切替えるまでの残時間が長い程、長い周期でオン／オフを繰り返す波形を表すデータを用いる場合について説明したが、上記残時間が長い程、振幅が大きい波形を表すデータを用いるようにしても良い。
【００１５】
信号出力回路３２０は、選択部２００によって選択された報知部１００のみへ上記信号レベルを有する作動信号を供給するものである。そして、信号出力回路３２０は、上記４つの報知部１００の何れか１つへ上記作動信号を供給している状況下で、上記残時間データをタイマ回路３１０から引渡されるとその残時間データを上記作動信号に重畳して供給する。このため、信号出力回路３２０から供給される作動信号も上記残時間データの表す周期でオン／オフを繰り返すことになる。その結果、選択部２００によって選択された報知部１００は、他の報知部１００への切替が生じるまでの残時間が短くなる程、短い周期で明滅することになる。
【００１６】
以上に説明したような構成としたため、本実施形態に係るターリ装置１０を用い、メインカメラとして選択されたテレビカメラに備えられている報知部１００を選択部２００によって選択するようにすれば、そのメインカメラに備えられている報知部１００は、メインカメラの切替が行われるまでの残時間が短くなるほど短い周期で明滅する。このため、テレビ番組の出演者は、報知部１００の明滅周期の変化に基づいて、メインカメラの切替タイミングを把握することが可能になる。
【００１７】
（Ｂ．第２実施形態）
次いで、本発明の第２実施形態に係るターリ装置について図面を参照しつつ説明する。
図３は、本発明の第２実施形態に係るターリ装置２０の構成例を示すブロック図である。図３に示すようにターリ装置２０がターリ装置１０と異なっている点は、記憶部５００と、データ書き込み部６００と、が設けられている点のみである。
【００１８】
図３の記憶部５００は、例えばハードディスクであり、図３のデータ書き込み部６００は、選択部２００に備えられている操作子（図示省略）の操作内容に応じたデータを記憶部５００へ書き込むためのものである。 図３に示すターリ装置２０においては、報知部１００の各々が装着されるテレビカメラによる撮影の開始から終了までの各時刻におけるメインカメラを表すデータ（すなわち、メインカメラの切替タイミングを表すデータ：以下、タイムテーブルデータ）を上記操作子によって入力し、データ書き込み部６００によって記憶部５００へ書き込むことができる。このように、上記タイムテーブルデータを記憶部５００へ書き込んでおけば、そのタイムテーブルデータにしたがって上記各時刻にて作動させる報知部１００を選択部２００に選択させるとともに、その切替が発生するよりも所定時間だけ前の時刻にその切替を行うことを表す切替タイミングデータを制御部３００へ入力させることができる。
【００１９】
このような構成としたため、本実施形態に係るターリ装置２０によれば、複数のテレビカメラによる撮影を開始してから終了するまでの間に、選択部２００に備えられている操作子を一々操作しなくても、各時刻におけるメインカメラを報知することが可能になるとともに、メインカメラの切替えタイミングを事前に報知することが可能になる。なお、メインカメラの切替も記憶部５００に記憶されているタイムテーブルデータに連動させて行うようにしても良いことは勿論である。例えば、カラオケボックスに備えられている複数のテレビカメラの切替え制御に本実施形態に係るターリ装置２０を適用し、ユーザが歌唱する楽曲の進行に合わせたタイムテーブルデータを記憶部５００へ記憶させておけば、カメラアングルをその楽曲の進行に同期させて切替えたプロモーションビデオを手軽に作成することが可能になる。
【００２０】
（Ｃ．変形例）
以上、本発明の第１および第２実施形態について説明したが、これら実施形態を以下のように変形しても良いことは勿論である。
（Ｃ−１：変形例１）
上述した各実施形態では、メインカメラとして選択されたテレビカメラに装着されている報知部１００をメインカメラの切替が行われるまでの残時間に応じた周期で明滅させることによって、その切替のタイミングを報知する場合について説明した。しかしながら、メインカメラの切替タイミングの報知態様は、係る態様に限定されるものではなく、以下に述べるような態様であっても勿論良い。
【００２１】
すなわち、報知部１００の発光手段１１０を、印加された電圧の電圧値に応じた色で発光するＬＥＤで構成し、メインカメラの切替が行われるまでの残時間に応じて異なる電圧値の電圧を上記発光手段１１０に印加することを表す作動信号を制御部３００から報知部１００へ供給するようにしても良い。このようにすると、例えば、メインカメラの切替が行われるまでの残時間が１分以上である場合には、発光色を青にし、その残時間が３０秒以上１分未満である場合には、発光色を黄色にし、その残時間が３０秒未満である場合には、発光色を赤にするなど、報知部１００の発光色の変化により上記切替タイミングを報知することが可能になる。
【００２２】
また、図４ａに示すように、報知部１００に複数の発光手段を設け、メインカメラの切替が行われるまでの残時間に応じて異なる発光手段を発光させるようにしても良い。具体的には、メインカメラの切替が行われるまでの残時間が１分以上である場合には、図４ａの発光手段１１０aを発光させ、その残時間が３０秒以上１分未満である場合には、発光手段１１０ｂを発光させ、その残時間が３０秒未満である場合には、発光手段１１０ｃを発光させるなど、上記複数の発光手段のうち発光させる発光手段を変化させることによって上記切替タイミングを報知するようにしても良い。
また、図４ｂに示すように、報知部１００に発光手段１１０の他に液晶ディスプレイなどの表示手段１２０を設け、メインカメラの切替が行われるまでの残時間を表す数字文字をその表示手段に表示させるようにしても良い。
また、メインカメラの切替えタイミングを報知する態様は、その切替えタイミングを視覚的に報知する態様に限定されるものではなく、音声で報知するとしても良い。このようなことは、スピーカと音声ＣＯＤＥＣなどで構成された音声出力手段を報知部１００に設けておき、制御部３００から供給された作動信号に応じて上記切替タイミングまでの残時間を表す音声を出力させるようにすることで実現される。なお、上記発光手段や表示手段と上記音声出力手段との両者を報知部１００に設けておき、その両者を用いて報知を行うようにしても良いことは言うまでもない。
【００２３】
（Ｃ−２：変形例２）
上述した実施形態では、メインカメラの切替に先立って、その切替までの時間を選択部２００に備えられている操作子を操作することによって入力させるようにする場合について説明した。しかしながら、このような時間の入力とともに、次にメインカメラとなるテレビカメラに備えられている報知部を表すデータを入力させ、その報知部を予告点灯させるようにしても良いことは勿論である。
また、変形例１にて説明したように、発光手段の色を変化させて上記切替タイミングを報知する態様や、複数の発光手段の各々を順次発光させてその切替えタイミングを報知する態様、表示手段を用いて文字でその切替えタイミングを報知する態様にあっては、メインカメラに備えられている報知部のみを用いて、次にメインカメラとなるテレビカメラの報知とその切替タイミングとを報知することが可能になる。具体的には、発光色を変えて切替えタイミングを報知する態様にあっては、更に、次にメインカメラとなるテレビカメラ毎に固有の周期で発光手段を明滅させて、次にメインカメラとなるテレビカメラを報知するとしても良く、逆に、発光色によって次にメインカメラとなるテレビカメラを報知し、明滅周期でその切替までの残時間を報知するようにしても良い。
【００２４】
（Ｃ−３：変形例３）
上述した第２実施形態では、記憶部５００に記憶されているタイムテーブルデータにしたがって、映像の撮影開始からその終了までの間のメインカメラおよび報知部１００の切替制御を行うとともに、その切替タイミングの報知を行う場合について説明した。しかしながら、そのタイムテーブルデータの表す時間間隔を所定の縮小率で短縮して上記切替制御および切替タイミングの報知を行うようにしても良い。このようにすると、実際の撮影に先立って、メインカメラの切替タイミングを短時間に確認することが可能になるといった効果を奏する。なお、このようなことは、記憶部５００に記憶されているタイムテーブルデータを読み出して、そのタイムテーブルデータの表す時間間隔を所定の縮小率で短縮させたタイムテーブルデータ（以下、短縮タイムテーブルデータ）を生成する生成手段を選択部２００に設け、その生成手段によって生成された短縮タイムテーブルデータにしたがって、選択部２００を作動させるようにすれば良い。
【図面の簡単な説明】
【００２５】
【図１】本発明の第１実施形態に係るターリ装置１０の構成例を示すブロック図である。
【図２】同ターリ装置１０の報知部１００が装着されたテレビカメラ４００の一例を示す図である。
【図３】本発明の第２実施形態に係るターリ装置２０の構成例を示すブロック図である。
【図４】変形例１に係る報知部１００を示す図である。
【符号の説明】
【００２６】
１０、２０…ターリ装置、１００，１００ａ，１００ｂ，１００ｃ，１００ｄ…報知部、１１０、１１０a、１１０b、１１０c…発光手段、１２０…表示手段、２００…選択部、３００…制御部、３１０…タイマ回路、３２０…信号出力回路、４００…テレビカメラ、５００…記憶部、６００…データ書き込み部。
【図１】
2006174057.tif 000003
【図２】
2006174057.tif 000004
【図３】
2006174057.tif 000005
【図４】
2006174057.tif 000006